(57)【要約】【課題】  浄化槽本体に放流ポンプ槽を取付ける際の組み立て性を向上させ、取付け後に被処理水が外部に漏水するのを未然に防止可能な浄化槽を提供する。【解決手段】  被処理水の原水の流入を受けて生物処理する水処理空間を内部に形成する浄化槽本体１０と、浄化槽本体１０で生物処理された被処理水を放流する放流ポンプ槽２０とを設けてある浄化槽Ｘであって、浄化槽本体１０に、放流ポンプ槽２０を吊り下げ支持してある。【選択図】        図２
2005095755.tif 000002
【特許請求の範囲】
【請求項１】
被処理水の原水の流入を受けて生物処理する水処理空間を内部に形成する浄化槽本体と、前記浄化槽本体で生物処理された被処理水を放流する放流ポンプ槽とを設けてある浄化槽であって、
前記浄化槽本体に、前記放流ポンプ槽を吊り下げ支持してある浄化槽。
【請求項２】
前記浄化槽本体がマンホール立ち上り部を有すると共に、前記マンホール立ち上り部と浄化槽本体側面との間に形成される浄化槽本体肩部を有しており、前記放流ポンプ槽を吊り下げ支持する吊り部材が前記浄化槽本体肩部に付設してある請求項１に記載の浄化槽。
【請求項３】
前記吊り部材が、前記浄化槽本体肩部に締結固定してある請求項２に記載の浄化槽。
【請求項４】
前記浄化槽本体の外周にフランジ部を設けてあると共に、前記放流ポンプ槽の外側底面に底面リブ部を設けてあり、
前記フランジ部と前記底面リブ部とを連結部材で連結してある請求項１〜３の何れか一項に記載の浄化槽。
【請求項５】
前記連結部材が、前記フランジ部に対して複数箇所で固定してある請求項４に記載の浄化槽。
【発明の詳細な説明】
【技術分野】
【０００１】
本発明は、被処理水の原水の流入を受けて生物処理する水処理空間を内部に形成する浄化槽本体と、前記浄化槽本体で生物処理された被処理水を放流する放流ポンプ槽とを設けてある浄化槽に関する。
【背景技術】
【０００２】
従来、一般家庭のし尿や生活排水を処理する浄化槽は、被処理水の原水（し尿や生活排水）の流入を受けて生物処理する水処理空間を樹脂製のケース内部に形成しており、このような浄化槽は、通常、地下埋設して使用される。
【０００３】
浄化槽で生物処理された被処理水は、浄化槽に設けられた放流口より槽外に放流される。このとき、放流先が放流口の高さよりも高い位置にある場合は、自然流下では被処理水を放流先まで流すことができない。この場合、水処理空間を設けたケースである浄化槽本体に別体の放流ポンプ槽を並置して設け、被処理水を一旦浄化槽本体から放流ポンプ槽に自然流下させ、この放流ポンプ槽にてポンプ圧で被処理水を放流先に放流していた。
【０００４】
この放流ポンプ槽は、予め浄化槽本体内に区画形成してある場合もあるが、上述したように浄化槽本体と放流ポンプ槽とを並置して設ける場合は、浄化槽本体とは独立して別個に形成した放流ポンプ槽を、地下に構築したコンクリート製の基礎上に浄化槽本体とを並べて設置し、流出管を介して浄化槽本体と放流ポンプ槽とを連結していた。
【０００５】
このように、浄化槽本体と放流ポンプ槽とを有する浄化槽においては、施工を容易にする等の理由により、予め浄化槽本体と放流ポンプ槽とを連結した状態で浄化槽の埋設現場に搬入する形態のものが知られていた。
【０００６】
このような浄化槽として、特許文献１には、放流ポンプ槽を浄化槽本体の外側で、且つ浄化槽本体が設置される床盤上面より離間して、浄化槽本体に着脱可能に連結支持してある構成が開示されている。
具体的には、放流ポンプ槽は、浄化槽本体の外側に取付金具で着脱可能に連結支持されている。その取付金具は、浄化槽本体に設けられたマンホール立ち上がり部と放流ポンプ槽の上部に形成した接合一体化フランジとを連結する上部取付金具（アイボルト、ターンバックル、連結棒等）と、浄化槽本体の接合一体化フランジと放流ポンプ槽の底部を連結する下部取付金具とで構成されている。そして、この上下部取付金具で放流ポンプ槽を浄化槽本体に水平に取付けている。
【０００７】
また、特許文献２には、浄化槽本体の放流口側に、放流ポンプ槽を載置するための台座が取り付けられている浄化槽の構成が開示されている。
【０００８】
以上のように構成することにより、放流ポンプ槽を設置する基礎を施工する必要がなくなるため、その分、浄化槽埋設時の施工が容易となっていた。
【０００９】
【特許文献１】特開２００２−２４８４８４号公報（特許請求の範囲、段落００１４等参照）
【００１０】
【特許文献２】特開２００１−３００５６７号公報（特許請求の範囲等参照）
【発明の開示】
【発明が解決しようとする課題】
【００１１】
特許文献１に開示されている浄化槽において、放流ポンプ槽と下部取付金具との取付けは、放流ポンプ槽の底部に開けた孔と下部取付金具に開設した長孔とに亘りボルトを挿通し、そのボルトにナットを螺合して締結することによって行われていた。
【００１２】
一方、特許文献２に開示されている浄化槽においても、放流ポンプ槽を載置するための台座は、浄化槽本体にボルト固定してある構成となっていた。
【００１３】
つまり、特許文献１〜２に開示されている浄化槽は、アイボルト、ターンバックル、連結棒等の複雑な部材を使用して、或いは、台座を使用して放流ポンプ槽を浄化槽本体に固定しているため、部品数が多くなって放流ポンプ槽を浄化槽本体に固定する際の組み立て性が悪いという問題点があった。
【００１４】
また、これら特許文献１〜２に開示されている浄化槽は、放流ポンプ槽を浄化槽本体に固定するためボルトが利用され、このボルトは、浄化槽本体及び放流ポンプ槽に貫通している。そして、何れもボルトの貫通孔は、被処理水の水位以下であるため、ボルトが貫通固定している箇所に防水処理が施されていたとしても、貫通孔から漏水する虞があった。
【００１５】
さらに、特許文献１に開示されている浄化槽においては、放流ポンプ槽を浄化槽本体に取付ける上部取付金具は、浄化槽本体側のアイボルトと、放流ポンプ槽側のアイボルトとに亘って連結棒を引っ掛けて固定し、放流ポンプ槽が水平になるように連結棒のターンバックルを回して長さ調整自在となっている。
そのため、上部取付金具は、放流ポンプ槽を浄化槽本体側に引っ張る方向へ取付ける構成となる。
ここで、上部取付金具は、浄化槽本体に設けられたマンホール立ち上がり部に取付けられている。通常、マンホールが円形であるために、このマンホール立ち上がり部も上面視で円形に構成してある。つまり、上部取付金具は、曲面のマンホール立ち上がり部に、点固定により取付けられているため、放流ポンプ槽の荷重がこの点固定部分に集中する。そのため、この点固定部分の変形や破損の虞があるため、この上部取付金具は、放流ポンプ槽の大部分の荷重を支えるのに適した構造であるとは言い難い。
【００１６】
従って、放流ポンプ槽の荷重の大部分を下部取付金具が支持することになる。この下部取付け金具は、浄化槽本体の接合一体化フランジに取り付けられているため、放流ポンプ槽の荷重は、下部取付金具を介してこの接合一体化フランジにかかる。
ここで、この接合一体化フランジにおいて、浄化槽本体の上槽と下槽とが接続しているため、放流ポンプ槽等の荷重がかかると変形して接合一体化フランジの一体化が解除され、その結果、漏水する虞があった。つまり、放流ポンプ槽の荷重の大部分を下部取付金具で支えるのは好ましくない。
【００１７】
従って、本発明の目的は、浄化槽本体に放流ポンプ槽を取付ける際の組み立て性を向上させ、取付け後に被処理水が外部に漏水するのを未然に防止可能な浄化槽を提供することにある。
【課題を解決するための手段】
【００１８】
（構成１）
上記目的を達成するための本発明に係る浄化槽の第１特徴構成は、
被処理水の原水の流入を受けて生物処理する水処理空間を内部に形成する浄化槽本体と、前記浄化槽本体で生物処理された被処理水を放流する放流ポンプ槽とを設けてある浄化槽であって、
前記浄化槽本体に、前記放流ポンプ槽を吊り下げ支持してある点にある。
【００１９】
従って、本発明の第１特徴構成に記載の浄化槽であれば、基本的には放流ポンプ槽を吊り下げ支持する部材（例えば、図１等に示した吊り部材）によって放流ポンプ槽を浄化槽本体に支持することが可能となるため、簡単な構成で放流ポンプ槽を浄化槽本体に支持固定することができる。従って、放流ポンプ槽を浄化槽本体に支持固定するための組み立てを容易に行うことができる。
【００２０】
また、放流ポンプ槽が浄化槽本体に吊り下げ支持してあるため、放流ポンプ槽の荷重を鉛直方向の上方向きに支持することができる。
浄化槽本体は、上槽及び下槽それぞれの端部に形成されたフランジを対合させることにより形成するのが一般的である。そして、上槽及び下槽それぞれの端部に形成されたフランジを対合させることにより形成された浄化槽本体のフランジ部に放流ポンプ槽の荷重の大部分が繋るような取り付け方法を採用すると、前記フランジ部が変形してフランジ部の対合が解除されることによる被処理水の漏水の虞がある。
しかし、本発明のように、放流ポンプ槽を浄化槽本体に吊り下げ支持する、つまり、放流ポンプ槽の荷重を鉛直方向の上方向きに支持すると、前記フランジ部が支持する放流ポンプ槽の荷重は小さくなる。そのため、浄化槽本体のフランジ部に放流ポンプ槽の荷重の大部分が繋ることによる変形を未然に防止することができるため、前記フランジ部の対合が解除されることによる被処理水の漏水の虞は殆どなくなる。
【００２１】
（構成２）
本発明に係る浄化槽の第２特徴構成は、上記第１特徴構成に加えて、
前記浄化槽本体がマンホール立ち上り部を有すると共に、前記マンホール立ち上り部と浄化槽本体側面との間に形成される浄化槽本体肩部を有しており、前記放流ポンプ槽を吊り下げ支持する吊り部材が前記浄化槽本体肩部に付設してある点にある。
【００２２】
浄化槽本体肩部は、マンホール立ち上り部と浄化槽本体側面との間に形成してあるため、通常、略平坦面で、略水平面を有している。吊り部材は、この浄化槽本体肩部に付設してあるため、浄化槽本体肩部に対して略水平に面固定することができる。つまり、吊り部材は、マンホール立ち上がり部のような円形の曲面に点固定されないため、吊り部材と浄化槽本体肩部とが面接触した部位で放流ポンプ槽の荷重を分散して支持することができる。そのため本構成は、吊り部材によって放流ポンプ槽の荷重を吊り下げ支持するのに適した構造となる。
【００２３】
さらに、吊り部材は、浄化槽本体肩部に対して面固定することができるため、浄化槽本体に放流ポンプ槽を付設した状態の浄化槽を車などで移送する際に発生した振動等により、放流ポンプ槽が鉛直方向に上下動し難い構成となる。そのため、放流ポンプ槽の付設状態が緩むのを未然に防ぐことができる。
【００２４】
一方、浄化槽本体肩部が、多少曲面形状を有している場合であっても、吊り部材が棒状の部材（図１〜３参照）であれば、複数の点で固定可能となり、この場合も、放流ポンプ槽の荷重を分散して支持することができる。このとき、吊り部材は、マンホール立ち上がり部のような円形の曲面に固定するのに比べて、浄化槽本体肩部の曲面は緩やかであるため、固定は容易である。
【００２５】
（構成３）
本発明に係る浄化槽の第３特徴構成は、上記第２特徴構成に加えて、
前記吊り部材が、前記浄化槽本体肩部に締結固定してある点にある。
【００２６】
従って、本発明の第３特徴構成に記載の浄化槽であれば、例えば、締結固定する手段として一般的なボルトなどを使用して吊り部材を浄化槽本体肩部に締結固定することができる。このような固定は、簡易であるため、本構成は組み立て性に優れたものとなる。
このとき、吊り部材を浄化槽本体肩部に締結固定する際に貫通孔を形成することが考えられるが、通常、浄化槽本体肩部まで被処理水の水位が上昇することはない。そのため、浄化槽本体肩部に貫通孔を設ける構成としても、被処理水の漏水の虞はない。
【００２７】
（構成４）
本発明に係る浄化槽の第４特徴構成は、上記第１〜３の何れかの特徴構成に加えて、
前記浄化槽本体の外周にフランジ部を設けてあると共に、前記放流ポンプ槽の外側底面に底面リブ部を設けてあり、
前記フランジ部と前記底面リブ部とを連結部材で連結してある点にある。
【００２８】
つまり、浄化槽本体のフランジ部と、放流ポンプ槽の底面リブ部とが連結部材で連結してあるため、放流ポンプ槽の荷重は、連結部材を介して浄化槽本体のフランジ部で支持することができる。そのため、補助的に放流ポンプ槽の荷重を支えるため、吊り部材や、吊り部材の固定部（例えば、浄化槽本体肩部）に繋る負担を軽減することができる。
【００２９】
このとき、連結部材とフランジ部、及び、連結部材と底面リブ部とを連結することになる。この連結は、例えば、フランジ部或いは底面リブ部に貫通孔を設け、ボルト等の締結手段により行われる。
つまり、浄化槽本体及び放流ポンプ槽の側面や底面にボルトを貫通させることによって放流ポンプ槽を浄化槽本体に連結固定する必要がない。
そのため、本構成であれば、浄化槽本体及び放流ポンプ槽の側面や底面にボルト締結のための貫通孔を設ける必要がないため、被処理水の漏水の虞がない。
【００３０】
（構成５）
本発明に係る浄化槽の第５特徴構成は、上記第４特徴構成に加えて、
前記連結部材が、前記フランジ部に対して複数箇所で固定してある点にある。
【００３１】
従って、本発明の第５特徴構成に記載の浄化槽であれば、前記連結部材が、複数箇所でボルト固定できる構成であるため、放流ポンプ槽は、連結部材を介して浄化槽本体のフランジ部に確実に固定できる構成となる。
さらに、複数箇所でボルト固定できる構成であれば、連結部材は、幅の広い寸法を有することになる。このため、連結部材を介して浄化槽本体のフランジ部に繋る放流ポンプ槽の荷重を分散支持し易くなるため、フランジ部の変形を確実に防止できる構成となり、フランジ部の対合が解除されることによる被処理水の漏水の虞は、より一層減少する。
【発明を実施するための最良の形態】
【００３２】
以下、本発明の実施例を図面に基づいて説明する。
図１に示したように、本発明の浄化槽Ｘは、被処理水の原水の流入を受けて生物処理する水処理空間を内部に形成するケース（浄化槽本体）１０を設けてあり、浄化槽Ｘは、通常、地下埋設して使用される。浄化槽本体１０は、被処理水が流入する流入口Ｉや複数の点検開口部Ｈ等を有する上槽１１と浄化槽底部を有する下槽１２とを接続することにより浄化槽Ｘの外槽を構成する。
【００３３】
尚、本実施例では、上槽１１と下槽１２からなる二分割タイプを例示したが、上槽、下槽、及び中間パネルからなる三分割タイプの何れであっても適用可能である。
浄化槽Ｘは、し尿排水だけを処理対象排水とする単独浄化槽や、し尿排水だけでなく、台所、洗濯、浴室等から生じる生活雑排水も処理対象排水として処理可能な合併浄化槽において適用可能である。
また、浄化槽Ｘは、例えば、ＦＲＰ等のプラスチック樹脂やジシクロペンタジェン等の合成樹脂等で成型することが可能である。
【００３４】
このように構成される前記浄化槽本体１０の内部を複数の仕切板で区画する。そして、例えば、上流側から、嫌気処理槽（沈殿分離槽、夾雑物除去槽、嫌気濾床槽第一室、嫌気濾床槽第二室等）、好気処理槽（担体流動槽、接触ばっ気槽等）、濾過槽、沈殿槽、消毒槽等の各槽を形成（図示しない）する。必要に応じて流量調整槽を設けることも可能である。
【００３５】
好気処理槽の下方には散気管や空気を送るためのブロワが配置され、被処理水を好気条件で処理可能に構成する。また、各槽内を上側から点検できるように開口部Ｈ（マンホール）とそれを塞ぐマンホールカバーも設けられている。この開口部Ｈは、上槽１１に設けられたマンホール立ち上がり部１３に開口している。
【００３６】
さらに、本発明の浄化槽Ｘには、消毒槽で固形消毒剤と接触して消毒された消毒済の被処理水が浄化槽本体１０より移流管Ｊを経由して流下した後、一時貯留して放流先に放流する放流ポンプ槽２０を設けてある。この放流ポンプ槽２０には、被処理水を放流先に放流するためのポンプＰが設けられている。
以下に、浄化槽本体１０と放流ポンプ槽２０とを設けた本発明の浄化槽Ｘについて詳述する。
【００３７】
浄化槽本体１０には、放流ポンプ槽２０が吊り下げ支持してある。
この吊り下げ支持は、図２〜３に示したように、例えば、断面Ｌ形状かつ棒状の金具である吊り部材３０により行われている。吊り部材３０は、剛性を有するものが好ましいため、通常の鋼材やステンレス鋼等の材料により構成する。このように、本発明で適用される吊り部材３０は、簡単な構成で放流ポンプ槽２０を浄化槽本体１０に支持できる。
そのため、放流ポンプ槽２０を浄化槽本体１０に支持固定するための組み立てを容易に行うことができる。
【００３８】
また、吊り部材３０は、浄化槽Ｘの両側面に設けるのが好ましい（図３（イ）参照）。
【００３９】
上述したように、浄化槽本体１０は上槽１１と下槽１２から構成しており、それぞれの端部に形成されたフランジを対合させることによりフランジ部１６が形成してある。このフランジ部１６に放流ポンプ槽２０の荷重の大部分が繋るような取り付け方法を採用すると、フランジ部１６が変形してフランジ部１６の対合が解除されることによる被処理水の漏水の虞がある。
しかし、本発明の構成は、放流ポンプ槽２０が浄化槽本体１０に吊り下げ支持してあるため、放流ポンプ槽２０の荷重を鉛直方向の上方向きに支持することができ、フランジ部１６が支持する放流ポンプ槽２０の荷重は小さくなる。そのため、浄化槽本体１０のフランジ部１６に放流ポンプ槽２０の荷重の大部分が繋ることによる変形を未然に防止することができるため、フランジ部１６の対合が解除されることによる被処理水の漏水の虞は殆どなくなる。
【００４０】
この吊り部材３０は、マンホール立ち上り部１３と浄化槽本体側面１４との間に形成される浄化槽本体肩部１５に付設してある。
【００４１】
浄化槽本体肩部１５は、マンホール立ち上り部１３と浄化槽本体側面１４との間に形成してあるため、通常、略平坦面で、略水平面を有している。吊り部材３０は、この浄化槽本体肩部１５に付設してあるため、浄化槽本体肩部１５に対して略水平に面固定することができる。つまり、吊り部材３０は、マンホール立ち上がり部のような円形の曲面に点固定されないため、吊り部材３０と浄化槽本体肩部１５とが面接触した部位で放流ポンプ槽２０の荷重を分散して支持することができる。そのため、吊り部材３０が浄化槽本体肩部１５に付設してある構成は、吊り部材３０によって放流ポンプ槽２０の荷重を吊り下げ支持するのに適した構造となる。
【００４２】
さらに、吊り部材３０は、浄化槽本体肩部１５に対して面固定することができるため、浄化槽本体１０に放流ポンプ槽２０を付設した状態の浄化槽Ｘを車などで移送する際に発生した振動等により、放流ポンプ槽２０が鉛直方向に上下動し難い構成となる。そのため、放流ポンプ槽２０の付設状態が緩むのを未然に防ぐことができる。
【００４３】
前記吊り部材３０は、浄化槽本体肩部１５に締結固定してある。
締結固定する手段は、具体的には、ボルト５０等が適用可能である。断面Ｌ形状かつ棒状の金具で例示される吊り部材３０と浄化槽本体肩部１５との締結は、例えば、このボルト５０の侵入方向が垂直方向になるように固定する。
【００４４】
これにより、吊り部材３０は、ボルト５０等の締結手段により浄化槽本体肩部１５に簡便に固定することができるため、組み立て性に優れている。
このとき、浄化槽本体肩部１５にボルト５０を貫通させる貫通孔を形成するが、通常、浄化槽本体肩部１５まで被処理水の水位が上昇することはない。そのため、浄化槽本体肩部１５に貫通孔を設ける構成としても、被処理水の漏水の虞はない。
締結固定は、複数の箇所で行うと、浄化槽Ｘを車などで移送する際に発生した振動等により、放流ポンプ槽２０が動きにくくなるため、放流ポンプ槽２０の付設状態が緩むのを未然に防ぐことができる
【００４５】
また、吊り部材３０と放流ポンプ槽２０とにおいても、ボルト５０等により締結固定することが可能である。
このとき、図２〜３に示したように、放流ポンプ槽２０の上部（つまり、被処理水の水位より上部）で吊り部材３０を締結固定すれば、放流ポンプ槽２０にボルト５０を貫通させる貫通孔を形成した場合であっても被処理水の漏水の虞はない。
この場合も、締結固定は複数の箇所で行うのが好ましい。
そして、断面Ｌ形状かつ棒状の金具で例示される吊り部材３０と放流ポンプ槽２０との締結は、例えば、ボルト５０の侵入方向が水平方向になるように固定する。
【００４６】
これら貫通孔は、被処理水の水位より上部に形成してあるが、浄化槽外部から、地下水等が浸入する虞がある。また、浄化槽内の水処理空間で被処理水を処理することにより悪臭の原因となる種々のガスが発生する虞がある。
従って、地下水等の浄化槽内への浸入や、浄化槽内で発生したガスの浄化槽外への漏洩を防止するため、貫通孔にはシール処理を行うのが好ましい。
【００４７】
図１〜３に示したように、前記浄化槽本体１０の外周には、フランジ部１６を設けてある。このフランジ部１６は、例えば、浄化槽本体１０の外装を構成する上槽１１及び下槽１２のそれぞれの端部に形成されたフランジを対合させることにより形成されたものが考えられる。
さらに、放流ポンプ槽２０の外側底面に底面リブ部２１を設けてある。
この底面リブ部２１は、放流ポンプ槽２０の底面の外周に沿った形状とすることができるがこれに限られるものではない。例えば、図５に示したように、断面直線状の形態（図５（イ））、２つの断面直線状の底面リブ部２１を対面させた形態（図５（ロ））等が適用可能である。また、このようなリブを側面に設けることも可能である。
そして、フランジ部１６と底面リブ部２１とは、連結部材４０で連結してある。連結部材４０は、図４等に示したように、断面Ｌ形状、かつ、棒状の金具が好適に例示される。連結部材４０は、剛性を有するものが好ましいため、通常の鋼材やステンレス鋼等の材料により構成する。
この断面Ｌ形状の連結部材４０の取付け方は、フランジ部１６と底面リブ部２１との位置関係、例えば、フランジ部１６が底面リブ部２１より下に位置する場合（図１〜３、図４（イ））、或いは、上に位置する場合（図４（ロ））等に応じて種々変更することが可能である。
また、断面Ｌ形状に限らず、図６に示したように、放流ポンプ槽２０の側面に略沿わせた形状とし、このとき、底面リブ部２１を受ける受け部４１を設けた形状とすることが可能である。
【００４８】
つまり、浄化槽本体１０のフランジ部１６と、放流ポンプ槽２０の底面リブ部２１とが連結部材４０で連結してあるため、放流ポンプ槽２０の荷重は、連結部材４０を介して浄化槽本体１０のフランジ部１６に支持される。そのため、補助的に放流ポンプ槽２０の荷重を支えるため、吊り部材３０や、吊り部材３０の固定部（浄化槽本体肩部１５）に繋る負担を軽減することができる。
【００４９】
このとき、連結部材４０とフランジ部１６、及び、連結部材４０と底面リブ部２１とを連結することになる。この連結は、例えば、図４に示したように、フランジ部１６、或いは、底面リブ部２１に貫通孔を設け、ボルト５０等の締結手段により行われる。
つまり、例えば、浄化槽本体１０及び放流ポンプ槽２０の側面や底面にボルト５０を貫通させることによって放流ポンプ槽２０を浄化槽本体１０に連結固定する必要がない。
そのため、本構成であれば、浄化槽本体１０及び放流ポンプ槽２０の側面や底面にボルト締結のための貫通孔を設ける必要がないため、被処理水の漏水の虞がない。
【００５０】
また、連結部材４０は、フランジ部１６に対して複数箇所で固定してあるのが好ましい。
【００５１】
連結部材４０のフランジ部１６に対する固定は、例えば、ボルト５０等による締結固定が好ましい。このとき、複数箇所でボルト固定できる構成であれば、放流ポンプ槽２０は、連結部材４０を介して浄化槽本体１０のフランジ部１６に確実に固定できる構成となる。
さらに、複数箇所でボルト固定できる構成であれば、連結部材４０は、幅の広い寸法を有することになる。このため、結部材４０を介して浄化槽本体１０のフランジ部１６に繋る放流ポンプ槽２０の荷重を分散支持し易くなるため、フランジ部１６の変形を確実に防止できる構成となり、フランジ部１６の対合が解除されることによる被処理水の漏水の虞は、より一層減少する。
【図面の簡単な説明】
【００５２】
【図１】本発明の浄化槽の側面概略図
【図２】本発明の浄化槽の要部概略図
【図３】本発明の浄化槽の要部斜視図
【図４】放流ポンプ槽の要部斜視図
【図５】放流ポンプ槽の底面リブ部の別形態を示した概略図
【図６】連結部材の別形態を示した概略図
【符号の説明】
【００５３】
１０        浄化槽本体
２０        放流ポンプ槽
Ｘ          浄化槽
【図１】
2005095755.tif 000003
【図２】
2005095755.tif 000004
【図３】
2005095755.tif 000005
【図４】
2005095755.tif 000006
【図５】
2005095755.tif 000007
【図６】
2005095755.tif 000008